(57)【要約】【課題】陳列時に大きく開口させて商品を見せることができ、かつ製函不良の発生しにくい梱包陳列兼用箱を提供する。【解決手段】各一対の端壁１及び側壁２の上縁からそれぞれ延出した内フラップ４と外フラップ６とを重ね合わせて封緘し、側壁２の横切線１１と、側壁２から外フラップ６へ至る２本の縦切線１２と、外フラップ６の横切線１３とを切断して商品を陳列する梱包陳列兼用箱において、側壁２の横切線１１を両端壁１へ回り込ませ、外フラップ６の横切線１３を両側縁まで延長し、その下方に重なる内フラップ４から端壁１へ至る縦切線１４を、側壁２から回り込んだ横切線１１まで到達させる。【選択図】  図２
2004269003.tif 000002
【特許請求の範囲】
【請求項１】
各一対の端壁１及び側壁２の上縁からそれぞれ延出した内フラップ４と外フラップ６とを重ね合わせて封緘し、側壁２の横切線１１と、側壁２から外フラップ６へ至る２本の縦切線１２と、外フラップ６の横切線１３とを切断して商品を陳列する梱包陳列兼用箱において、側壁２の横切線１１を両端壁１へ回り込ませ、外フラップ６の横切線１３を両側縁まで延長し、その下方に重なる内フラップ４から端壁１へ至る縦切線１４を、側壁２から回り込んだ横切線１１まで到達させたことを特徴とする梱包陳列兼用箱。
【発明の詳細な説明】
【０００１】
【発明の属する技術分野】
この発明は、商品の輸送のための梱包と、店頭での陳列に兼用する箱に関するものである。
【０００２】
【従来の技術】
従来、この種の梱包陳列兼用箱として、図７に示すように、各一対の端壁５１及び側壁５２の上縁からそれぞれ延出した内フラップ５３と外フラップ５４とを重ね合わせて封緘し、商品陳列時には、側壁５２の横切線５５と、側壁５２から外フラップ５４へ至る２本の縦切線５６と、外フラップ５４の横切線５７とを切断して、開口部から商品を露出させるものが使用されている。
【０００３】
【発明が解決しようとする課題】
ところで、上記梱包陳列兼用箱では、陳列状態において、側壁５２と天面の外フラップ５４の両側部分が残るため、商品が見えにくいという問題がある。
【０００４】
その対策として、縦切線５６を稜部の罫線へ接近させると、製函に際し、罫線ではなく縦切線５６に沿ってブランクが折れてしまう恐れがある。
【０００５】
そこで、この発明は、陳列時に大きく開口させて商品を見せることができ、かつ製函不良の発生しにくい梱包陳列兼用箱を提供しようとするものである。
【０００６】
【課題を解決するための手段】
上記課題を解決するため、この発明は、側壁の横切線と、側壁から外フラップへ至る２本の縦切線と、外フラップの横切線とを切断して商品を陳列する梱包陳列兼用箱において、側壁の横切線を両端壁へ回り込ませ、外フラップの横切線を両側縁まで延長し、その下方に重なる内フラップから端壁へ至る縦切線を、側壁から回り込んだ横切線まで到達させたのである。
【０００７】
この梱包陳列兼用箱では、両端壁へ回り込ませた横切線及び縦切線を陳列時に切断すると、側壁から天面及び両端面へかけて大きく開口させ、商品の視認性を高めることができる。
【０００８】
また、側壁の縦切線を稜部の罫線へ接近させる必要がないので、製函時に罫線ではなく縦切線に沿ってブランクが折れ曲がるトラブルが防止される。
【０００９】
【発明の実施の形態】
以下、この発明の実施形態を添付図面に基づいて説明する。
【００１０】
この梱包陳列兼用箱の段ボール製ブランクでは、図１に示すように、各一対の端壁１及び側壁２が交互に連設され、端部側の側壁２の外側縁に継代片３が連設されている。端壁１の上下縁には内フラップ４，５が、側壁２の上下縁には外フラップ６，７がそれぞれ連設されている。
【００１１】
端壁１、側壁２及び継代片３の裏面下部には、横方向にカットテープ８が貼着され、このカットテープ８を切り込んで、内部側の側壁２には横向きＨ形の切端部９が、各端壁１にはコ字形の切端部１０がそれぞれ形成されている。カットテープ８の切端部９，１０の間の部分は横切線１１とされている。
【００１２】
側壁２及び外フラップ６には、横切線１１から上方へ延びる２本の縦切線１２と、その終端間に亘り外フラップ６の両側縁に達する横切線１３とが入れられ、内フラップ４及び端壁１には、内フラップ４の先端から下方へ延び、切端部１０へ達する縦切線１４が入れられている。縦切線１２，１４及び横切線１３は、鉤形の切目が断続するジッパとされている。
【００１３】
このようなブランクは、通常の溝切り形段ボール箱と同様に、スコアラで横罫を入れ、スロッタで溝を切り、クリーザで縦罫を入れた後、カットテープ８を貼り付け、部分的な型で切目を入れることにより製造できるので、全体を型で打ち抜くものよりも、低コストで製造できる。
【００１４】
いま、このようなブランクを組み立てて商品を包装するには、まず、各一対の端壁１及び側壁２を継代片３を介し角環状に繋いで周壁をなし、下方の内フラップ５と外フラップ７とを重ね合わせて底面を閉止する。
【００１５】
そして、箱内に商品を収納した後、図２に示すように、上方の内フラップ４と外フラップ６とを重ね合わせて天面を閉止する。底面及び天面の封緘は、粘着テープやホットメルト接着剤で行う。
【００１６】
一方、商品を陳列する際には、図３に示すように、切端部９から両側へカットテープ８を引っ張って、横切線１１の部分を切端部１０まで切断する。
【００１７】
次に、横切線１１の切取部分に手を入れて、の縦切線１２及び横切線１３を切断し、図４に示すように、２本の縦切線１２の間の部分を側壁２から外フラップ６まで取り除く。
【００１８】
そして、横切線１３の残部と縦切線１４とを切断し、図５に示すように、重なり合った内フラップ４と外フラップ６の前部、端壁１の前部及び側壁２の両側部から成る前角部分を除去する。
【００１９】
このように切り開くと、上記梱包陳列兼用箱は、側壁２から天面及び両端面へかけて大きく開口するので、内部に収納した商品の視認性を高めることができ、販売促進効果を向上させることができる。
【００２０】
また、商品の露出度をさらに高めたい場合には、カットテープ８を切端部１０から続けて引っ張り、端壁１及び側壁２を全周に亘って上下に分断し、その上方部分を除去することにより、図６に示すように、トレー形状として、全ての商品を見せることができる。
【００２１】
そのほか、この梱包陳列兼用箱では、図１に示すように、側壁２の縦切線１２を稜部の罫線へ接近させる必要がないので、製函時に誤って罫線ではなく縦切線１２に沿ってブランクが折れ曲がるトラブルが防止される。
【００２２】
さらに、側壁２から両端壁１へ回り込む横切線１１を、切目が並んだジッパではなく、カットテープ８を貼り付けたものとしているので、積上時の耐圧強度が低下することもない。
【００２３】
【発明の効果】
以上のように、この発明に係る梱包陳列兼用箱では、両端壁へ回り込ませた横切線及び縦切線を陳列時に切断すると、側壁から天面及び両端面へかけて大きく開口させることができるので、簡単な作業で商品の視認性を高めることができ、販売促進効果を向上させることができる。
【００２４】
また、側壁の縦切線を稜部の罫線へ接近させる必要がないので、製函時に罫線ではなく縦切線に沿ってブランクが折れ曲がるトラブルが防止され、通常の箱と同様に梱包作業を行うことができる。
【図面の簡単な説明】
【図１】この発明に係る梱包陳列兼用箱のブランクを示す図
【図２】同上の梱包状態を示す斜視図
【図３】同上の切開き過程を示す斜視図
【図４】同上の切開き過程を示す斜視図
【図５】同上の開口状態を示す斜視図
【図６】同上のトレー状態を示す斜視図
【図７】従来の梱包陳列兼用箱の開口状態を示す斜視図
【符号の説明】
１  端壁
２  側壁
４  内フラップ
６  外フラップ
１１，１３  横切線
１２，１４  縦切線
【図１】
2004269003.tif 000003
【図２】
2004269003.tif 000004
【図３】
2004269003.tif 000005
【図４】
2004269003.tif 000006
【図５】
2004269003.tif 000007
【図６】
2004269003.tif 000008
【図７】
2004269003.tif 000009